(57)【要約】【課題】カップリングコンデンサを不要にした外部出力映像信号処理装置を提供する。【解決手段】システム制御系１０からシンクチップレベルおよびペデスタルレベルが所定値に固定された映像信号を出力する。映像信号処理回路２０にシステム制御系１０から出力される映像信号を直接入力してそのレベルを調整し後段処理回路に送るレベルシフト回路２１を設ける。【選択図】  図１
2004312329.tif 000002
【特許請求の範囲】
【請求項１】
映像信号を出力するシステム制御系と、該システム制御系から出力する映像信号を入力しそのｐ−ｐ値を所定値に制御して出力する後段処理回路を有する映像信号処理回路とを具備する外部出力映像信号処理装置において、
前記システム制御系からはシンクチップレベルおよびペデスタルレベルが所定値に固定された映像信号を出力し、前記映像信号処理回路には前記システム制御系から出力される前記映像信号を直接入力してそのレベルを調整し前記後段処理回路に送るレベルシフト回路を設けたことを特徴とする外部出力映像信号処理装置。
【請求項２】
請求項１に記載の外部出力映像信号処理装置において、
前記レベルシフト回路は、２段の反転増幅回路から構成されていることを特徴とする外部出力映像信号処理装置。
【発明の詳細な説明】
【０００１】
【発明の属する技術分野】
本発明は、映像信号を所定のｐ−ｐ値で外部出力するための外部出力映像信号処理装置に関するものである。
【０００２】
【従来の技術】
従来より使用されている外部出力映像信号処理装置の基本的な構成を図３に示す。システム制御系１０’から出力された映像信号は、カップリングコンデンサ３０で直流成分がカットされ、１チップＩＣからなる映像信号処理回路２０’のクランプ回路２３（例えば、特許文献１参照）に取り込まれ直流再生されてから、後段処理回路２２に送られ、ここで振幅（ｐ−ｐ値）が調整されてから外部に出力される。後段処理回路２２から外部出力される映像信号は、これを７５Ωの抵抗で終端したとき１．０Ｖｐｐになるよう決められているため、通常その出力振幅（ｐ−ｐ値）は２．０Ｖｐｐとなる。
【０００３】
図４は図３のシステム制御系１０’をより詳しく示した外部出力映像信号処理装置の構成を示す図である。システム制御系１０’のＤＳＰ１１によって電流で出力される映像信号は、抵抗１２によって電流／電圧変換され、インピーダンス変換回路１３においてインピーダンスが変換され、カップリングコンデンサ３０に入力する。
【０００４】
システム制御系１０’から出力される映像信号が、基準レベルが固定されていない場合やシンクチップが最適なレベルでない場合には、そのまま映像信号処理回路２０’の後段処理回路２２に入力させると、その後段処理回路２２から出力される信号波形の上端や下端につぶれが発生し、その映像信号を再生したとき画質の劣化を招く。
【０００５】
そこで、この後段処理回路２２から出力する信号波形のつぶれ防止のために、上記のように、カップリングコンデンサ３０とクランプ回路２３を設けて、まずカップリングコンデンサ３０によって直流成分をカットして交流成分のみを抽出し、これをクランプ回路２３に入力して直流再生することによって、シンクチップレベルやペデスタルレベルを所定のレベルに固定して、最低限必要なダイナミックレンジを確保するようにしている。
【０００６】
【特許文献１】特開平７−４６４４３号公報
【０００７】
【発明が解決しようとする課題】
以上のように、従来の外部出力映像信号処理装置では、必ずカップリングコンデンサ３０とクランプ回路２３を装備させていた。これは、システム制御系１０’から出力する映像信号のシンクチップレベルやペデスタルレベルが所定のレベルにあってもなくても同じであった。
【０００８】
ところが、上記のようにカップリングコンデンサ３０を使用すると、このカップリングコンデンサ３０とクランプ回路２３の入力インピーダンスとによりハイパスフィルタが構成されるため、そのカップリングコンデンサ３０の容量を小さくすると、同期信号の縮みやサグ（頂部の傾き）が発生してしまうという問題があり、これらの理由からカップリングコンデンサ３０の容量は小さくできないため、１チップＩＣである映像信号処理回路２０’に内蔵できず、外部出力映像信号処理装置の構成上部品点数が増大するという問題があった。
【０００９】
本発明の目的は、システム制御系から出力する映像信号のシンクチップレベルやペデスタルレベルが所定レベルにある場合は、カップリングコンデンサやクランプ回路が不要な外部出力映像信号処理装置を提供することである。
【００１０】
【課題を解決するための手段】
請求項１にかかる発明は、映像信号を出力するシステム制御系と、該システム制御系から出力する映像信号を入力してそのｐ−ｐ値を所定値に制御して出力する後段処理回路を有する映像信号処理回路とを具備する外部出力映像信号処理装置において、前記システム制御系からはシンクチップレベルおよびペデスタルレベルが所定値に固定された映像信号を出力し、前記映像信号処理回路には前記システム制御系から出力される前記映像信号を直接入力してそのレベルを調整し前記後段処理回路に送るレベルシフト回路を設けたことを特徴とする外部出力映像信号処理装置とした。
【００１１】
請求項２にかかる発明は、請求項１に記載の外部出力映像信号処理装置において、前記レベルシフト回路は、２段の反転増幅回路から構成されていることを特徴とする外部出力映像信号処理装置とした。
【００１２】
【発明の実施の形態】
図１は本発明の１つの実施形態の外部出力映像信号処理装置の構成を示すブロック図である。１０はシステム制御系であり、映像信号を電流信号で出力するＤＳＰ１１と、その電流信号を電圧信号に変換する抵抗１２を具備する。２０は１チップＩＣからなる映像信号処理回路であり、システム制御系１０から出力する信号レベルを直接入力してあるレベルにシフトするレベルシフト回路２１と、振幅（ｐ−ｐ値）が２．０Ｖｐｐの映像信号を出力する後段処理回路２２を具備する。
【００１３】
ここでは、ＤＳＰ１１により電流出力された映像信号は、抵抗１２により電圧信号に変換されることにより、シンクチップレベルやペデスタルレベルが所定のレベルになる。つまり、ＤＳＰ１１からの電流の映像信号は、すでにシンクチップレベルやペデスタルレベルが所定値に固定されている。よって、このような映像信号は直流成分カットや直流再生を行うことなく、映像信号処理回路２０のレベルシフト回路２１に直接入力できる。ただし、そのまま後段処理回路２２に入力させたのでは、そこから２．０Ｖｐｐの振幅の映像信号を出力することはできない。
【００１４】
そこで、レベルシフト回路２１を挿入して、システム制御系１０から出力する映像信号のレベルを調整してから後段処理回路２２に入力することにより、そこから２．０Ｖｐｐの振幅の映像信号が出力できるようにする。
【００１５】
図２はレベルシフト回路２１の具体的な構成を示す回路図である。このレベルシフト回路２１は２段の反転増幅回路から構成されている。初段の反転増幅回路は反転増幅器２１１、入力抵抗２１２、帰還抵抗２１３、および電圧ＶＲ１の基準電圧源２１４から構成されている。また、後段の反転増幅回路は反転増幅器２１５、入力抵抗２１６、帰還抵抗２１７、および電圧ＶＲ２の基準電圧源２１８から構成されている。
【００１６】
シンクチップレベルやペデスタルレベルが固定された映像信号がこのように２段の反転増幅回路から構成されるレベルシフト回路２１で増幅されることによって、所定レベルの映像信号が生成されて後段処理回路２２に入力され、そこから２．０Ｖｐｐの振幅の映像信号が出力する。
【００１７】
このように本実施形態の外部出力映像信号処理装置では、従来必要となっていたカップリングコンデンサやクランプ回路を削除しても、後段処理回路２２からは従来と同様にシンクチップレベルやペデスタルレベルが所定レベルで固定されかつ所定の振幅値（ｐ−ｐ値）の映像信号を出力させることができる。
【００１８】
【発明の効果】
以上から本発明によれば、カップリングコンデンサが不要となるため、部品点数を削減でき、これによりコストダウンや省スペース化を図ることができる。また、カップリングコンデンサに起因していた同期信号の縮みやサグの発生も防止できる。
【図面の簡単な説明】
【図１】本発明の１つの実施形態の外部出力映像信号処理装置のブロック図である。
【図２】図１の外部出力映像信号処理装置のレベルシフト回路の回路図である。
【図３】従来の実施形態の外部出力映像信号処理装置のブロック図である。
【図４】図３の外部出力映像信号処理装置のより詳しいブロック図である。
【符号の説明】
１０，１０’：システム制御系、１１：ＤＳＰ、１２：抵抗、１３：インピーダンス変換回路
２０，２０’：映像信号処理回路、２１：レベルシフト回路、２２：後段処理回路、２３：クランプ回路
３０：カップリングコンデンサ
【図１】
2004312329.tif 000003
【図２】
2004312329.tif 000004
【図３】
2004312329.tif 000005
【図４】
2004312329.tif 000006